(57)【要約】  【課題】脈拍数等の測定データの積極的な活用により健康管理を促進させ、異常値測定時には家族等に緊急通報できる生体情報データ測定機能付き腕時計を提供する。  【解決手段】腕時計４は、脈拍数、体温を測定する脈拍センサ部７、体温生体センサ部９を有すると共に、両センサ部７，９により測定されたデータ値を記憶するデータ記憶部１５と、該データ値をデジタル表示する脈拍数表示部１０及び体温表示部１１を備える。該測定値は測定値判定手段１６に送出し、正常範囲内であるか否かを判定する。正常範囲内でない場合は、医療機関２１又は家族２５の通信端末２６に緊急通報するように構成されている。【選択図】図１
2006081838.tif 000002
【特許請求の範囲】
【請求項１】
脈拍数、体温等の生体情報データを測定する生体センサ部と、該生体センサ部により測定された測定値を記憶する記憶部と、該測定値を表示する表示部と、前記測定値が正常範囲内であるか否かを判定する測定値判定手段と、該測定値判定手段により正常範囲内でないと判定されたとき医療機関又は家族の通信端末に緊急通報する緊急通報手段とを有することを特徴とする生体情報データ測定機能付き腕時計。
【発明の詳細な説明】
【技術分野】
【０００１】
本発明は、生体情報データ測定機能付き腕時計に関するものであり、特に、生体センサ部による測定値が異常であるとき医療機関等に緊急通報できるようにした生体情報データ測定機能付き腕時計に関するものである。
【背景技術】
【０００２】
従来、生体情報データ測定用センサ、例えば脈拍センサにより測定されたデータは、健康管理データとして多く利用されており、特に，被測定者の手首部に装着して脈拍数を測定するタイプのものが普及している。その中には、時計用バンドに脈拍センサを固定して測定するようにした脈拍数測定機能付き腕時計が知られている（特許文献１）。この腕時計は、可撓性の時計バンドに、人体の脈拍動する皮膚面に当接するように圧電フィルムを張設し、該圧電フィルムによって前記脈拍動を電気信号に変換することにより、脈拍数を測定してデジタル表示するように構成されている。
【特許文献１】特開平５−０３１０８５号公報
【発明の開示】
【発明が解決しようとする課題】
【０００３】
特許文献１記載の脈拍数測定機能付き腕時計は、脈拍数を測定してデジタル表示する方式であり、被測定者本人が脈拍数を単に目視確認できる機能を有するに止まり、医療機関等の電子健康管理センタにおける臨床検査データとして積極的に活用されていない。即ち、前記腕時計は、測定データを被測定者の健康管理を支援すべく、十分に有効利用しているとはいい難い。又、例えば被測定者が一人暮らしであって脈拍数（生体情報データ）の異常が測定された時、被測定者の周囲に誰も救助者が居ない為に救助が手遅れとなることがある。
【０００４】
そこで、測定値の積極的な活用により健康管理を一層支援させ、異常値測定時には医療機関等に緊急通報できるようにするために解決すべき技術的課題が生じてくるのであり、本発明は該課題を解決することを目的とする。
【課題を解決するための手段】
【０００５】
本発明は上記目的を達成するために提案されたものであり、脈拍数、体温等の生体情報データを測定する生体センサ部と、該生体センサ部により測定された測定値を記憶する記憶部と、該測定値を表示する表示部と、前記測定値が正常範囲内であるか否かを判定する測定値判定手段と、該測定値判定手段により正常範囲内でないと判定された時に医療機関又は家族の通信端末に緊急通報する緊急通報手段とを有する生体情報データ測定機能付き腕時計を提供する。
【０００６】
この構成によれば、生体センサ部を所定の被測定部位に装着して、脈拍数、体温等の生体情報データを測定する。該生体センサ部により測定された測定値は、記憶部により記憶されると共に表示部により表示される。
【０００７】
又、前記生体センサ部により測定された測定値は、測定値判定手段によって正常範囲内にあるか否かが判定される。その結果、正常範囲内にないと判定された場合は、緊急通報手段より医療機関又は家族の通信端末に自動的に緊急通報される。
【発明の効果】
【０００８】
本発明は、該生体センサ部により測定された測定値が、表示部により単に表示されるだ
けでなく記憶されるので、該記憶データを医療機関に送信して臨床検査データとして積極的に活用して、被測定者の健康管理をより一層支援促進させることができる。
【０００９】
もし測定値が異常値を示す時は、医療機関又は家族の通信端末に即時に通報されるので、被測定者が一人暮らしの老人や病人であっても、医者や家族が老人や病人の所に緊急に駆けつけて救助することができる。
【発明を実施するための最良の形態】
【００１０】
本発明は、脈拍数、体温等の生体情報データを測定する生体センサ部と、該生体センサ部により測定された測定値を記憶する記憶部と、該測定値を表示する表示部と、前記測定値が正常範囲内であるか否かを判定する測定値判定手段と、該測定値判定手段により正常範囲内でないと判定された時に医療機関又は家族の通信端末に緊急通報する緊急通報手段とを有することにより、脈拍数の測定データの積極的な活用により健康管理を支援・促進させ、異常データの測定時には医療機関等に緊急通報して救助することができるという目的を実現した。
【実施例】
【００１１】
以下、本発明の一実施の形態を図１及び図２に従って説明する。図１に於いて、１は被測定者２の手首部３近傍にはめて使用される腕時計４の本体部である。該本体部１の両側部にはバンド５が取り付けられている。
【００１２】
前記本体部１の外周部には、所定長さの導線６を有する圧電式又は光電式の脈拍センサ部（第１の生体センサ部）７が取り付けられ、該脈拍センサ部７は薄厚の角形又は丸形に形成されている。該脈拍センサ部７の裏面は、適度な粘着性を有する貼着面に形成され、被測定者２の皮膚面に着脱可能に貼り付けて使用される。即ち、該脈拍センサ部７は、手首部３又はその近傍における脈拍動する血管部位の表面に貼り付けることにより、被測定者２の脈拍数を測定する。
【００１３】
又、前記本体部１の外周部に於ける他の箇所には、所定長さの導線８を有する体温センサ部（第２の生体センサ部）９が取り付けられ、該体温センサ部９も薄厚の角形又は丸形に形成されている。該体温センサ部９の裏面は適度な粘着性を有し、該体温センサ部７を皮膚表面の適当箇所に貼り付けることにより、被測定者２の体温を測定する。
【００１４】
前記本体部１の中央部には、脈拍数表示部１０、体温表示部１１及び時刻表示部１２が設けられている。該表示部１０は前記脈拍センサ部７により測定された脈拍数をデジタル表示する。又、前記体温表示部１１は前記体温センサ部９により測定されたをデジタル表示する。この体温センサ部９は、前記本体部１の裏面に固定して設けることも可能である。更に、前記時刻表示部１２は現在の時刻をデジタル表示する。
【００１５】
又、本体部１の内部には、所定の制御プログラムを備えたマイコンチップ１３が搭載され、該マイコンチップ１３は、図３に示すように、入力部１４、データ記憶部（ラム）１５、制御演算部１６及び出力部１７を有している。前記データ記憶部１５は、脈拍センサ部７、体温センサ部９によりそれぞれ測定された測定値を記憶保存する。又、制御演算部１６は前記データ記憶部１５、入力部１３及び出力部１６に制御信号を送受信する。更に又、該制御演算部１６は、測定値判定手段として機能し、前記測定値が正常範囲内であるか否かを判定する。
【００１６】
本実施例では、前記出力部１７にはデータ転送部１８及び緊急通報手段１９が接続されている。該データ転送部１８はＵＳＢケーブル２０を介して、医療機関２１に設置されたパソコン端末、即ち、電子式健康データ管理パソコン２２に前記測定値をデータ転送する
。ここに、医療機関２１とは、病院、診療所、ホームドクタの他に、ナースステーション、ヘルスケアセンタが含まれる。尚、前記データ転送は、被測定者２の自宅２３に設置されたパソコン端末２４にデータ転送しても良く、この場合、自宅２３のパソコン端末２４からインタネット経由で上記医療機関等２１の健康データ管理パソコン２２にデータをオンライン送信することもできる。
【００１７】
又、前記緊急通報手段１９は、前記測定値判定手段１６により測定値が正常範囲内でないと判定された時、即ち、該測定値が異常であると判定された時、自動的に又はスイッチ操作のみで家族２５の携帯電話（通信端末）２６、或いは医療機関２１の通信端末に緊急通報する。
【００１８】
更に、前記本体部１には異常警報部２７が内蔵され、該異常警報部２７は、前記測定値が異常である時、自動的に又はスイッチ操作のみで周囲の者にアラーム音を通報する。この異常警報部２７は前記緊急通報手段１９と連携してアラーム音を自動的に発生させるようにしても良い。
【００１９】
その他、本発明の腕時計には、全地球測位システムＧＰＳ機能、無線ＬＡＮ機能及び測定データのグラフ作製機能が付加されている。
【００２０】
上記構成において、被測定者２が脈拍数、体温を測定するときは、脈拍センサ部７、体温センサ部９を所定の被測定部位に貼り付ける。すると、該脈拍センサ部７、体温センサ部９により被測定者２の脈拍数、体温が測定され、該測定された値はそれぞれ、マイコンチップ１３の入力部１４にデータ入力された後、脈拍数表示部１０、体温表示部１１によりデジタル表示されると共に、前記データ記憶部１５に記憶・保存される。
【００２１】
該データ記憶部１５に記憶された測定値は、前記測定値判定手段１６に送られ、該測定値が正常範囲内（正常状態）であるか、或いは正常範囲外（異常状態）であるかを判定する。判定の結果、測定値が異常であると判定されたときは、自動的に又はスイッチ操作によって緊急通報手段１９が軌道して、「異常」である旨が家族２５の携帯電話２６、或いは、医療機関２１の通信端末に緊急通報される。又、これと同時に、異常警報部１９によりアラーム音を発生発して周囲の者に通報する。
【００２２】
尚、前記緊急通報において留守番電話のときは、電子メールによる通報連絡に自動切替えることができる。又、かかりつけのホームドクタがいる場合は、該ホームドクタにも電話又は電子メールにより自動連絡することができる。
【００２３】
上述のように、被測定者２の脈拍数又は体温に異常値が測定されたときは、家族２５又は医療機関２１に即時通報できるので、家族２５や医療スタッフ等は、被測定者２の元にすぐに駆けつけることができる。この場合、被測定者２の居所はＧＰＳによる位置検索機能により直ちに位置確認できるので、家族２５等は被測定者２の元に短時間で直行できる。
【００２４】
従って、被測定者２が独居老人等であって周囲に誰も居ない場合でも、緊急時には家族２５が救助に来てくれるので、独居老人等は毎日安心して暮らすことができる。又、被測定者２が慢性的なアレルギー体質や持病を持っている場合であっても、病状に異変が生じて脈拍数又は体温に異常値が示されたときは、かかりつけ医者と即座に連絡がとれるので、手遅れになって被測定者２の病状が大事に至ることを未然に防止できる。
【００２５】
又、本実施例では、脈拍センサ部７、体温センサ部９により測定されたデータは、データ記憶部１５において所定の期間だけ記憶して保存される。該保存された測定されたデー
タは、図２に示すように、データ転送部１８を医療機関２１の健康データ管理パソコン２２や自宅２３のパソコン端末２４にＵＳＢ接続することにより、現在又は過去の測定データを検索して印刷することができる。
【００２６】
従って、被測定者２の検査データを総合的に診断解析することができるので、被測定者２の健康状態をトータルに管理把握する上で極めて好都合になる。更に、医療機関２１においては個人別健康データをベータベース化して一元管理することができるメリットを有する。
【００２７】
本発明は上記実施例に限定されるべきではなく、例えば、データ転送部１８から健康データ管理パソコン２２等へのデータ転送は、有線通信に代えて無線通信によりデータ転送することも可能である。又、生体情報データとしては脈拍数及び体温の他に、血圧、血糖値（無痛測定）、体脂肪量などが考えられる。
【００２８】
尚、本発明は、本発明の精神を逸脱しない限り種々の改変を為すことができ、そして、本発明が該改変されたものに及ぶことは当然である。
【図面の簡単な説明】
【００２９】
【図１】本発明の一実施の形態を示し、腕時計のセンサ部の測定例を示す説明図。
【図２】図１の腕時計のセンサ部による測定値のデータ転送例を示す説明図。
【図３】図１の腕時計に搭載されたマイコンチップの構成例を示す回路構成図。
【符号の説明】
【００３０】
１      本体部
２      被測定者
３      手首部
４      腕時計
５      バンド
６      導線
７      脈拍センサ部（第１の生体センサ部）
８      導線
９      体温センサ部（第２の生体センサ部）
１０    脈拍数表示部
１１    体温表示部
１２    時刻表示部
１３    マイコンチップ（マイクロコンピュ−タ）
１４    入力部
１５    データ記憶部（ラム）
１６    制御演算部（測定値判定手段）
１７    出力部
１８    データ転送部
１９    緊急通報手段
２０    ＵＳＢケーブル
２１    医療機関
２２    電子式健康データ管理パソコン（健康管理機器）
２３    自宅
２４    パソコン端末
２５    家族
２６    携帯電話（通信端末）
２７    異常警報部
【図１】
2006081838.tif 000003
【図２】
2006081838.tif 000004
【図３】
2006081838.tif 000005